(57)【要約】【課題】背面に開口部を設けたカメラケースに入れて使用する撮像装置において、カメラケースに入れたままの状態でフランジバック調整が可能なフランジバック調整機構を提供することを目的とする。【解決手段】  背面に開口部を設けたカメラケースに入れて使用する撮像装置のフランジバック調整機構であって、その外周に第１歯車を成す歯を有するフランジバック調整用のリングと、前記リングの歯に噛合する第２歯車と、前記第２歯車に連結され、前記第２歯車を回転するための軸を成し、カメラケースの開口部側の撮像装置後方に向かって延出した連結棒と、前記連結棒を回転可能に支持するガイドと、前記連結棒の撮像装置後方に位置する端部に設けられた調整ツマミと、を備えたことを特徴とするフランジバック調整機構。【選択図】図１
2012095031.tif 000002
【特許請求の範囲】
【請求項１】
背面に開口部を設けたカメラケースに入れて使用する撮像装置のフランジバック調整機構であって、
その外周に第１歯車を成す歯を有するフランジバック調整用のリングと、
前記リングの歯に噛合する第２歯車と、
前記第２歯車に連結され、前記第２歯車を回転するための軸を成し、カメラケースの開口部側の撮像装置後方に向かって延出した連結棒と、
前記連結棒を回転可能に支持するガイドと、
前記連結棒の撮像装置後方に位置する端部に設けられた調整ツマミと、
を備えたことを特徴とするフランジバック調整機構。
【発明の詳細な説明】
【技術分野】
【０００１】
本発明は、背面に開口部を設けたカメラケースに入れて使用する撮像装置においてレンズ交換に伴うフランジバック調整を行うためのフランジバック調整機構に関するものである。
【背景技術】
【０００２】
撮像装置に使用されるレンズには、各種マウント方式のレンズがあり、レンズマウントの取付面から撮像素子面（あるいは、光学像の結像面）までの距離（以下、フランジバックと称する）は、規格によって厳密に決まっている。このようなフランジバックには高い精度が要求されており、種々のフランジバック調整機構が提案されている。
【０００３】
例えば、特許文献１は、フランジバック調整機構の操作部がレンズマウント部から後方に離れたカメラシャーシの側壁面に配備されたフランジバック調整機構付カメラを開示している。また、特許文献２には、フランジバック調整リングのツマミ部をフロントパネルの前面に配置したフランジバック調整機構が開示されている。
【０００４】
特許文献３には、固体撮像素子の位置調整装置が開示されている。これによれば、フロントフレームの側面には、環状調整部材の外周ローレット部の一部が露出するような窓部が設けられており、環状調整部材を回転させることによって移動案内体及び分光プリズムアクセサリが光軸方向に移動し、固体撮像素子が所定のフランジバックに調整される。
【先行技術文献】
【特許文献】
【０００５】
【特許文献１】特開２００２−１７６５８０号公報
【特許文献２】特開２００４−３４３６１３号公報
【特許文献３】特開平８−７９５９４号公報
【発明の概要】
【発明が解決しようとする課題】
【０００６】
ところで、上述したようなフランジバック調整機構を備えた撮像装置が背面に開口部を設けたカメラケースに入れられて使用する場合、以下のような不具合がある。すなわち、フランジバック調整のために操作される部材が撮像装置の前方、あるいは、側壁面に配置されている場合、撮像装置をカメラケースに入れた状態では、フランジバック調整のための操作がしにくい。このため、フランジバック調整時には、撮像装置とレンズをカメラケースの外に出して調整操作を行うか、もしくは、カメラケースの前方あるいは側面にフランジバック調整が可能な開口部を設ける必要がある。
【０００７】
この発明は上記事情に着目してなされたもので、その目的とするところは、背面に開口部を設けたカメラケースに入れて使用する撮像装置において、カメラケースに入れたままの状態でフランジバック調整が可能なフランジバック調整機構を提供することにある。
【課題を解決するための手段】
【０００８】
上記目的を達成するためにこの発明の１つの観点は、以下のような構成要素を備えている。すなわち、背面に開口部を設けたカメラケースに入れて使用する撮像装置のフランジバック調整機構であって、その外周に第１歯車を成す歯を有するフランジバック調整用のリングと、前記リングの歯に噛合する第２歯車と、前記第２歯車に連結され、前記第２歯車を回転するための軸を成し、カメラケースの開口部側の撮像装置後方に向かって延出した連結棒と、前記連結棒を回転可能に支持するガイドと、前記連結棒の撮像装置後方に位置する端部に設けられた調整ツマミと、を備えたことを特徴とするものである。
【発明の効果】
【０００９】
すなわち、この発明の１つの観点によれば、フランジバック調整用のリングの歯に噛合する第２歯車には、回転可能に支持された連結棒が連結されている。この連結棒は、カメラケースの開口部側の撮像装置後方に向かって延出しており、撮像装置後方に位置する端部に調整ツマミが設けられている。このため、背面に開口部を設けたカメラケースに撮像装置を入れたままの状態で調整ツマミを回転させることができ、これにより、連結棒及び第２歯車を介してフランジバック調整用のリングが回転するため、フランジバック調整が可能となる。
【図面の簡単な説明】
【００１０】
【図１】図１は、本実施形態の撮像装置及びこの撮像装置のフランジバック調整機構を概略的に示す斜視図である。
【図２】図２は、本実施形態の撮像装置１が背面に開口部を設けたカメラケース１０に入れられた状態を概略的に示す斜視図である。
【図３】図３は、カメラケース１０の開口部に蓋１１が設置された状態を概略的に示す斜視図である。
【発明を実施するための形態】
【００１１】
以下、図面を参照してこの発明に係わる実施形態を説明する。
【００１２】
図１は、本実施形態の撮像装置及びこの撮像装置のフランジバック調整機構を概略的に示す斜視図である。
【００１３】
すなわち、撮像装置１は、フレーム２を備えている。このフレーム２の内部には、固体撮像素子などが備えられ、また、撮像装置１の前方には、レンズマウントが取り付けられるが、ここでは説明を省略する。  
フレーム２の前方には、レンズマウントを取り付けるための大径孔２Ｈが設けられている。フレーム２の一側面には、窓部２Ｗが設けられている。この窓部２Ｗは、フレーム２の前方に形成されている。
【００１４】
レンズ交換に伴うフランジバック調整を行うフランジバック調整用のリング３は、撮像装置１の前方に設けられている。このリング３は、フレーム２の内部に備えられ、その一部が窓部２Ｗから露出している。また、このリング３は、その外周の全面に第１歯車を成す歯３Ｔを有している。
【００１５】
第２歯車４は、撮像装置１の前方に設けられ、フレーム２の外に配置されている。この第２歯車４は、リング３の歯３Ｔに噛合する。この第２歯車４には、連結棒５が連結されている。この連結棒５は、第２歯車４を回転するための軸を成し、フレーム２の一側面に沿って撮像装置１の前方から撮像装置１の後方に向かって直線的に延出している。ガイド６は、フレーム２の側面に設けられ、連結棒５を回転可能に支持している。調整ツマミ７は、連結棒５の撮像装置後方に位置する端部に設けられている。
【００１６】
図示した例では、連結棒５の一端は、撮像装置１の前方に位置し、第２歯車４と連結されている。また、連結棒５の他端は、撮像装置１の後方、より具体的には、フレーム２の後面２Ｂよりもさらに後方に位置し、調整ツマミ７と連結されている。
【００１７】
図２は、本実施形態の撮像装置１が背面に開口部を設けたカメラケース１０に入れられた状態を概略的に示す斜視図である。図３は、カメラケース１０の開口部に蓋１１が設置された状態を概略的に示す斜視図である。
【００１８】
すなわち、カメラケース１０の背面には、開口部１０Ｈが設けられている。撮像装置１は、その前方からカメラケース１０の内部に収納される。撮像装置１の後方は、開口部１０Ｈの側に位置する。つまり、フレーム２の後面２Ｂは、開口部１０Ｈの側に位置している。連結棒５は、開口部１０Ｈの側に向かって延出している。調整ツマミ７は、後面２Ｂよりもさらに開口部１０Ｈの側に位置している。  
カメラケース１０の開口部１０Ｈは、蓋１１によって塞がれている。
【００１９】
このような構成によれば、フランジバック調整用のリング３の歯３Ｔに噛合する第２歯車４には、回転可能に支持された連結棒５が連結され、この連結棒５は、撮像装置１の後方に向かって延出しており、撮像装置１の後方に位置する端部に調整ツマミ７が設けられている。このような撮像装置１が背面に開口部１０Ｈを設けたカメラケース１０に入れられた状態では、撮像装置１の後方がカメラケース１０の開口部１０Ｈの側に位置する。
【００２０】
このような構成により、フランジバック調整を行う際に、カメラケース１０に撮像装置１を入れたままの状態で、フランジバック調整のリング３と連動した調整ツマミ７を回転させることができる。すなわち、調整ツマミ７の回転により、連結棒５及び第２歯車４を介してフランジバック調整用のリング３が回転するため、フランジバック調整が可能となる。
【００２１】
以上説明したように、本実施形態によれば、背面に開口部を設けたカメラケースに入れて使用する撮像装置において、カメラケースに入れたままの状態で（つまり、カメラケースから撮像装置を取り出すことなく）フランジバック調整が可能なフランジバック調整機構を提供することができる。
【００２２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００２３】
１…撮像装置
２…フレーム
３…リング（第１歯車）  ３Ｔ…歯
４…第２歯車
５…連結棒
６…ガイド
７…調整ツマミ
１０…カメラケース  １０Ｈ…開口部
１１…蓋
【図１】
2012095031.tif 000003
【図２】
2012095031.tif 000004
【図３】
2012095031.tif 000005